(57)【要約】【課題】制御装置を、建屋の内壁に固定することなく、目立たなくする。【解決手段】フェッシャープレート１２は、上プレート部２０と下プレート部３０を有している。上プレート部２０は、プレート本体部２１と、プレート本体部２１と一体的に設けられている制御装置収容部２２と、蓋部２３と、を有している。制御装置収容部２２は、建屋Ｂの内壁Ｗに向かって突出するように形成され、プレート本体部２１側に開口２４を有し、且つ、制御装置１３の収容空間２５を有している。蓋部２３は、制御装置収容部２２の開口２４を塞ぐ。【選択図】図３
2016034871.tif 000002
【特許請求の範囲】
【請求項１】
昇降路内を昇降する乗りかごと、前記昇降路を囲む建屋の内壁と前記乗りかごとの間の距離を狭めるフェッシャープレートと、各種装置を制御する制御装置と、を備えるエレベーター装置であって、
前記フェッシャープレートは、
前記内壁に所定の距離を空けて対向し、且つ、上下方向に延びるプレート本体部と、
前記プレート本体部に一体的に設けられ、前記内壁に向かって突出するように形成され、前記プレート本体部側に開口を有し、且つ、前記制御装置の収容空間を有する制御装置収容部と、
前記開口を塞ぐ蓋部と、を有する
エレベーター装置。
【請求項２】
前記制御装置収容部と一体的に設けられ、前記制御装置収容部に収容されている前記制御装置と前記各種装置とを接続する配線を収容する配線収容部を有する
請求項１に記載のエレベーター装置。
【請求項３】
前記プレート本体部における前記開口の周囲には、前記蓋部の厚みと前記蓋部を固定するための部材の厚みとを合わせた厚み以上の深さを有するように、前記内壁側に凹み、前記蓋部を収容する蓋収容部が形成されている
請求項１又は請求項２に記載のエレベーター装置。
【請求項４】
乗りかごが昇降する昇降路を囲む建屋の内壁と前記乗りかごとの間の距離を狭めるエレベーター装置のフェッシャープレートであって、
前記内壁に所定の距離を空けて対向し、且つ、上下方向に延びるプレート本体部と、
前記プレート本体部に一体的に設けられ、前記内壁に向かって突出するように形成され、前記プレート本体部側に開口を有し、且つ、前記エレベーター装置の各種装置を制御する制御装置の収容空間を有する制御装置収容部と、
前記開口を塞ぐ蓋部と、を有する
エレベーター装置のフェッシャープレート。
【発明の詳細な説明】
【技術分野】
【０００１】
本発明は、エレベーター装置及びエレベーター装置のフェッシャープレートに関する。
【背景技術】
【０００２】
エレベーター装置の乗りかごが昇降する昇降路を囲む建屋の周壁には、エレベーター装置の利用者が乗りかごから昇降路へ転落することを防止するために、フェッシャープレートが設けられている。
【０００３】
また、いわゆる展望用エレベーターは、昇降路外から昇降路が視認可能なため、エレベーター装置の制御装置、例えば建屋の各階におけるエレベーター乗り場に設けられた乗り場ドアや操作盤などの各種装置を制御する制御装置を目立たなくすることが望まれている。
【０００４】
そこで特許文献１には、昇降路内壁に設置されている制御装置を、フェッシャープレートで覆うエレベーターが記載されている。
【先行技術文献】
【特許文献】
【０００５】
【特許文献１】特開２００３−３３５４７６号公報
【発明の概要】
【発明が解決しようとする課題】
【０００６】
しかし、特許文献１に記載されたエレベーターでは、昇降路内壁、すなわち昇降路を囲む建屋の内壁に制御装置を設置する。そのため、建屋の構造や昇降路内に設けられた他の部材の配置などの制約条件から建屋の内壁に制御装置を設置できない場合には、建屋の内壁とフェッシャープレートとの間に制御装置を介在させることができない。したがって、制御装置が目立ってしまうという問題がある。
【０００７】
本発明は、上記従来技術の問題点に鑑みてなされたもので、制御装置を、建屋の内壁に固定することなく、目立たなくすることができるエレベーター装置及びエレベーター装置のフェッシャープレートを提供することを、その目的とする。
【課題を解決するための手段】
【０００８】
上記目的を達成するため、本発明のエレベーター装置は、昇降路内を昇降する乗りかごと、昇降路を囲む建屋の内壁と乗りかごとの間の距離を狭めるフェッシャープレートと、各種装置を制御する制御装置と、を備えるエレベーター装置であって、フェッシャープレートは、プレート本体部と、制御装置収容部と、蓋部と、を有する。プレート本体部は、内壁に所定の距離を空けて対向し、且つ、上下方向に延びる。制御装置収容部は、プレート本体部に一体的に設けられ、内壁に向かって突出するように形成され、プレート本体部側に開口を有し、且つ、制御装置の収容空間を有する。そして、蓋部は、開口を塞ぐ。
【０００９】
また、本発明のフェッシャープレートは、乗りかごが昇降する昇降路を囲む建屋の内壁と乗りかごとの間の距離を狭めるエレベーター装置のフェッシャープレートであって、プレート本体部と、制御装置収容部と、蓋部と、を有する。プレート本体部は、内壁に所定の距離を空けて対向し、且つ、上下方向に延びる。制御装置収容部は、プレート本体部に一体的に設けられ、内壁に向かって突出するように形成され、プレート本体部側に開口を有し、且つ、エレベーター装置の各種装置を制御する制御装置の収容空間を有する。そして、蓋部は、開口を塞ぐ。
【発明の効果】
【００１０】
本発明によれば、制御装置を、建屋の内壁に固定することなく、目立たなくすることができる。
【図面の簡単な説明】
【００１１】
【図１】本発明の第１の実施形態に係るエレベーター装置の模式図である。
【図２】本発明の第１の実施形態に係るフェッシャープレートの正面図である。
【図３】本発明の第１の実施形態に係るフェッシャープレートの側面図である。
【図４】本発明の第２の実施形態に係るエレベーター装置のフェッシャープレートの正面図である。
【図５】図４のＡ−Ａ線断面図である。
【発明を実施するための形態】
【００１２】
＜第１の実施形態＞
本発明の第１の実施形態に係るエレベーター装置１及びエレベーター装置１のフェッシャープレート１２について、図１〜図３を参照して説明する。なお、各図において共通の部材には、同一の符号を付している。
【００１３】
＜エレベーター装置の概要＞
まず、図１を参照して、エレベーター装置１の概要について説明する。図１は、第１の実施形態に係るエレベーター装置１の模式図である。
エレベーター装置１は、少なくとも側壁の一部がガラスなどの透明な部材で構成されている建物Ｂに設けられている。エレベーター装置１は、建屋Ｂに形成されている昇降路３内を昇降可能な乗りかご４と、つり合いおもり５と、これら両者を吊持するロープ６と、ロープ６が巻き掛けられた巻上機７を備えている。エレベーター装置１は、乗りかご４内の利用者が、建物Ｂ外の景色を見ることができる、いわゆる展望用エレベーターである。
なお、以下の説明において、昇降路３の底面を形成する昇降路底面２と水平な水平面上における一方向をＸ方向とし、同水平面上のＸ方向に直交する方向をＹ方向とする。また、Ｘ方向及びＹ方向に直交する方向をＺ方向（上下方向）とする。
【００１４】
巻上機７は、昇降路３内に配置され、ロープ６を駆動して、乗りかご４及び釣り合いおもり５を昇降路内で昇降させる。
【００１５】
乗りかご４は、かご枠８と、かご室９と、ドア装置１０を有している。かご室９は、箱状に形成され、内部にエレベーター装置１の利用者（以下、単に「利用者」と称する場合がある）を収容する。かご枠８は、かご室９を囲む略四角枠状の部材である。
【００１６】
かご室９は、床を形成する略平板状の床部９１と、床部９１に対し上下方向に対向し、天井を形成する略平板状の天井部９２と、を有している。また、かご室９は、床部９１の周囲に立設されている側壁部９３を有している。側壁部９３には、利用者が乗降する乗降口（図示省略）が設けられている。また、側壁部９３の少なくとも一部はガラスなどの透明な部材で形成されており、かご室９内の利用者は、かご室９及び建物Ｂの外の景色を見ることができる。また、かごドア装置１０は、側壁部９３に設けられている乗降口を開閉する。
【００１７】
また、かご室９の床部９１には、かごドア装置１０の下部をガイドするガイド溝（図示省略）を有する敷居９４が設けられている。敷居９４には、上下方向に延びる略矩形板状の部材であり、上端部が敷居９４に固定されているエプロン９５が設けられている。エプロン９５は、建屋Ｂのエレベーター装置１の乗り場（以下、単に「乗り場」と称する場合がある）からかご室９内に移動する利用者が昇降路３内に落下することを防ぐために設けられている。
【００１８】
また、エレベーター装置１は、建屋Ｂの乗り場に設けられ、ドア装置１０と連動して、建屋Ｂと昇降路３との連絡口を開閉する乗り場ドア１１を有している。また、エレベーター装置１は、建屋Ｂの乗り場に設けられ、利用者が操作する操作盤（図示省略）、照明装置であるホールランタン（図示省略）及び乗りかごの位置を知らせるインジケーター（図示省略）を有している。
【００１９】
また、エレベーター装置１は昇降路３を囲む建屋Ｂの内壁Ｗに設けられ、かご室９の敷居９４と内壁Ｗとの距離を狭めるフェッシャープレート１２を有している。フェッシャープレート１２は、かご室９内の利用者がかご室９から昇降路３内に落下することを防ぐために設けられている。
【００２０】
また、エレベーター装置１は、フェッシャープレート１２の後述する制御装置収容部２２（図２及び図３参照）に収容され、巻上機７、乗り場ドア１１、操作盤、ホールランタンやインジケーターなどのエレベーター装置１の各種装置を制御する制御装置１３（図２及び図３参照）を有している。
【００２１】
＜フェッシャープレートの構成＞
次に、図２及び図３を参照して、フェッシャープレート１２の詳細な構成について、説明する。図２は、フェッシャープレート１２の正面図である。また、図３は、フェッシャープレート１２の側面図である。
【００２２】
図２及び図３に示すように、フェッシャープレート１２は、上下方向に並列して配置された平板状のめっき鋼板である上プレート部２０と下プレート部３０によって形成されている。上プレート部２０は、下プレート部３０よりも上方に配置されている。
【００２３】
上プレート部２０は、プレート本体部２１と、制御装置収容部２２と、蓋部２３と、を有している。
プレート本体部２１は、上下方向に延びる平板状の部材である。プレート本体部２１は、Ｙ方向に直交する一方の平面２１ａと他方の平面２１ｂ（図３参照）を有している。プレート本体部２１の他方の平面２１ｂが建屋Ｂの内壁Ｗに対して、Ｙ方向に所定の距離を空けて対向している。また、プレート本体部２１のＸ方向の両端部には、プレート本体部２１の強度を高めるために、建屋Ｂの内壁Ｗに近づくように折曲した上部折曲部２１ｃが形成されている。また、プレート本体部２１には、図示は省略するが、蓋部を固定するためのボルト１４を挿通するボルト挿通孔が形成されている。
【００２４】
制御装置収容部２２は、図３に示すように、建屋Ｂの内壁Ｗに向かって突出するように形成され、プレート本体部２１側に開口２４を有し、且つ、制御装置１３の収容空間２５を有している。また、制御装置収容部２２は、開口２４を有する略箱状に形成され、周壁部２６と底部２７とを有している。底部２７は、Ｙ方向に直交する一方の平面と他方の平面２７ａを有し、他方の平面２７ａが建屋Ｂの内壁Ｗに対して、Ｙ方向に対向している。周壁部２６は、Ｘ方向に直交する一方の平面と他方の平面を有する２つの側壁部２６ａと、上下方向に対向する一方の平面と他方の平面を有し、Ｘ方向の両端部が２つの側壁部２６ａと連続する上壁部２６ｂ及び下壁部２６ｃを有している。
【００２５】
周壁部２６のＹ方向の一端部が開口２４（図２参照）の外縁を形成し、且つ、プレート本体部２１と連続している。また、周壁部２６の他端部が底部２７の外縁と連続している。周壁部２６と底部２７によって囲まれた空間が収容空間２５（図２参照）となっており、この収容空間２５には、制御装置１３が収容されている。
【００２６】
制御装置収容部２２は、プレート本体部２１と一体的に設けられている。本実施形態では、プレート本体部２１を形成する平板状のめっき鋼板を型押し加工して変形させることで、建屋Ｂの内壁Ｗに向かって突出するように形成された制御装置収容部２２が設けられる。なお、開口を有する略箱状の部材を別途設け、また、この開口と同じ大きさの貫通孔をプレート本体部２１に設け、略箱状の部材を、開口と貫通孔とが連通するように、プレート本体部２１に溶着することで、制御装置収容部２２を設けてもよい。
【００２７】
周壁部２６における側壁部２６ａの下部には、角筒状の配線収容部２８が設けられている。また、側壁部２６ａの下部には、配線収容部２８の筒孔２８ａと収容空間２５とを連通させるための連通孔（図示省略）が設けられている。配線収容部２８の筒孔２８ａ内には、エレベーター装置１の各種装置、例えば巻上機７や乗り場ドア１１と、制御装置１３と、を接続する配線１５が収容されている。配線収容部２８は、側壁部２６ａの下部からエレベーター装置１の各種装置まで延在している。なお、配線収容部２８を、配線１５の目立つ部分のみを筒孔２８ａ内に収容するように、すなわちかご室９内の利用者が視認可能な配線１５の部分のみを筒孔２８ａに収容するように、設けてもよい。
【００２８】
蓋部２３は、略矩形状のめっき鋼板であり、Ｙ方向に直交する一方の平面２３ａと他方の平面２３ｂとを有している。蓋部２３の他方の平面２３ｂにおける外側は、プレート本体部２１と接触するプレート接触面２３ｃを形成する。蓋部２３の各角部には、プレート本体部２１に形成されているボルト挿通孔と連通するボルト挿通孔（図示省略）が形成されている。蓋部２３は、連通したこれらボルト挿通孔を挿通するボルト１４によってプレート本体部２１に固定され、制御装置収容部２２の開口２４を塞ぐ。
【００２９】
図２に示すように、上プレート部２０の上端部には、縦長のボルト挿通孔２９ａが形成されている。上プレート部２０の上端部は、ボルト挿通孔２９ａを挿通するボルト１６（図２参照）によって、トーガード１７に固定されている。トーガード１７は略矩形板状の部材であり、フェッシャープレート１２とともに、かご室９内の利用者がかご室９から昇降路３内に落下することを防ぐために設けられる部材である。トーガード１７は、長手方向がＸ方向に平行に、且つ、短手方向がＺ方向に平行に配置されるように設けられている。また、トーガード１７は、建屋Ｂの内壁Ｗにおける乗り場ドア１１の敷居に近接する箇所で、内壁Ｗに設けられた第１補強部材１８（図３参照）に固定されている。
【００３０】
また、上プレート部２０の下端部には、横長のボルト挿通孔２９ｂが形成されており、上プレート部２０の下端部は、ボルト挿通孔２９ｂを挿通するボルト１６（図２参照）によって、内壁Ｗにおける第１補強部材１８の下方に設けられた第２補強部材１９に固定されている。
【００３１】
下プレート部３０は、上下方向に延びる平板状の部材である。下プレート部３０は、Ｙ方向に直交する一方の平面３０ａと他方の平面３０ｂ（図３参照）を有している。下プレート部３０の他方の平面３０ｂが建屋Ｂの内壁Ｗに対して、Ｙ方向に所定の距離を空けて対向している。また、下プレート部３０のＸ方向の両端部には、下プレート部３０の強度を高めるために、建屋Ｂの内壁Ｗに近づくように折曲した上部折曲部３０ｃが形成されている。
【００３２】
下プレート部３０の上端部には、縦長のボルト挿通孔３１が形成されている。下プレート部３０の上端部は、ボルト挿通孔３１を挿通するボルト１６（図２参照）によって、第２補強部材１９に固定されている。また、下プレート部３０の下端部は、Ｙ方向に沿って建屋Ｂの内壁に向かって折曲する折曲部３２が形成されている。折曲部３２には、上下方向に貫通するボルト挿通孔（図示省略）が形成されている。下プレート部は、ボルト挿通孔を挿通するボルト１６（図２参照）によって、乗り場ドア１１のドアパネル１１ａを開閉するドア開閉装置１１ｂに固定されている。また、下プレート部３０の下端部には、メンテナンス作業を行う作業者が、折曲部３２のボルト挿通孔に挿通したボルトに、かご室９内（又はかご室９上）からアクセス可能なように下部開口３３（図２参照）が設けられている。
【００３３】
図３に示すように、上プレート部２０の一方の平面２０ａと下プレート部３０の一方の平面３０ａとは、面一となっている。
【００３４】
＜作用＞
本実施形態のエレベーター装置１では、フェッシャープレート１２のプレート本体部２１と一体的に設けられた制御装置収容部２２に制御装置１３が収容されている。また、制御装置収容部２２の開口２４がプレート本体部２１に固定される蓋部２３によって塞がれている。したがって、制御装置１３を建屋Ｂの内壁Ｗに固定しないで、目立たなくすることができる（第１の作用）。
【００３５】
また、制御装置１３を用いたメンテナンスを行う作業者は、蓋部２３をプレート本体部２１から取り外すことで、容易に、制御装置１３を利用することができる（第２の作用）。
【００３６】
ここで、制御装置を建屋の内壁に固定する場合、制御装置の固定位置は、建屋の構造や昇降路内に設けられた他の部材の配置などの制約条件に応じて決定される。また、この制約条件は、同一の建屋に複数のフェッシャープレートを設置する場合、各フェッシャープレートの設置場所によっても異なる。したがって、制御装置を内壁に固定する場合、フェッシャープレートにおける制御装置へのアクセスを容易にする開口の位置が、上記制約条件に応じて多様となる。このため、共通のフェッシャープレートを異なる建屋に設置したり、同一の建屋の複数の箇所に設置したりすることが困難であった。しかし、本実施形態のフェッシャープレート１２では、プレート本体部２１と一体的に設けられた制御装置収容部２２に制御装置１３を収容し、制御装置１３を建屋Ｂの内壁Ｗに固定しない。したがって、共通のフェッシャープレート１２を、異なる建屋に設置したり、同一の建屋の複数の箇所に設置したりすることができる（第３の作用）。
【００３７】
また、制御装置収容部２２は、エレベーター装置１の各種装置、例えば巻上機７や乗り場ドア１１と、制御装置１３と、を接続する配線１５を収容する配線収容部２８を有している。したがって、配線１５も目立たなくすることができる（第４の作用）。
【００３８】
＜第２の実施形態＞
次に、図４及び図５を参照して、本発明の第２の実施形態に係るエレベーター装置１０１及びエレベーター装置１０１のフェッシャープレート１１２について、説明する。図４は、第２の実施形態に係るエレベーター装置１０１のフェッシャープレート１１２の正面図である。図５は、図４のＡ−Ａ線断面図である。
なお、第２の実施形態にエレベーター装置１０１と第１の実施形態に係るエレベーター装置１とは、フェッシャープレート１１２における後述のプレート本体部１２１の構成のみ異なる。したがって、以下の説明では、フェッシャープレート１１２のプレート本体部１２１についてのみ説明を行い、第１の実施形態におけると共通する部材については、同一の符号を付して、その説明を省略する。
【００３９】
図４及び図５に示すように、エレベーター装置１０１のフェッシャープレート１１２における上プレート部１２０のプレート本体部１２１は、上下方向に延びる平板状の部材である。プレート本体部１２１は、Ｙ方向に直交する一方の平面１２１ａと他方の平面１２１ｂ（図５参照）を有している。プレート本体部１２１の他方の平面１２１ｂが建屋Ｂの内壁Ｗに対して、Ｙ方向に所定の距離を空けて対向している。また、プレート本体部１２１のＸ方向の両端部には、プレート本体部１２１の強度を高めるために、建屋Ｂの内壁Ｗに近づくように折曲した上部折曲部１２１ｃが形成されている。
【００４０】
また、プレート本体部１２１の略中央部には、建物Ｂの内壁Ｗ側に凹み、蓋部２３を収容する蓋収容部１４０が形成されている。図５に示すように、蓋収容部１４０は、蓋収容底部１４１と蓋収容周壁部１４２を有している。蓋収容底部１４１は、Ｙ方向に直交する一方の平面１４１ａと他方の平面１４１ｂを有し、他方の平面１４１ｂが建屋Ｂの内壁Ｗに対して、Ｙ方向に対向している。
【００４１】
また、蓋収容底部１４１には、Ｙ方向に貫通する貫通孔１４３が形成されている。貫通孔１４３の径は、制御装置収容部２２の開口２４の径と略同一に形成されており、貫通孔１４３、開口２４及び収容空間２５は、連通している。蓋収容底部１４１における貫通孔１４３を囲む部分は、四角枠状の縁部１４４を形成する。縁部１４４の各角部には、蓋部２３を固定するためのボルトを挿通するボルト挿通孔（図示省略）が形成されている。また、縁部１４４における一方の平面１４１ａは、蓋部２３と接触する蓋部接触面１４１ｃを形成する。
【００４２】
蓋収容周壁部１４２は、Ｘ方向に直交する一方の平面と他方の平面を有する２つの蓋収容側壁部１４５と、上下方向に対向する一方の平面と他方の平面を有し、Ｘ方向の両端部が２つの蓋収容側壁部１４５と連続する蓋収容上壁部１４６及び蓋収容下壁部１４７を有している。
【００４３】
蓋収容周壁部１４２のＹ方向の一端部が蓋収容開口１４８の外縁を形成している。また、蓋収容周壁部１４２の他端部が蓋収容底部１４１の外縁と連続している。蓋収容周壁部１４２と蓋収容底部１４１によって囲まれた空間が蓋収容空間１４９となっており、この蓋収容空間１４９に、蓋収容開口１４８側から蓋部２３が収容される。
【００４４】
蓋収容空間１４９に収容された蓋部２３の他方の平面２３ｂは、縁部１４４の一方の蓋部接触面１４１ｃと接触する。また、蓋部２３に形成されているボルト挿通孔が縁部１４４に形成されているボルト挿通孔と連通する。これら連通したボルト挿通孔に挿通するボルト１４によって蓋部２３とプレート本体部１２１とが固定される。
【００４５】
また、プレート本体部１２１の蓋収容部１４０の上方部分及び蓋収容部１４０の上部におけるＸ方向の略中央部には、切欠き部１５０が形成されている。切欠き部１５０は、メンテナンスの作業者が蓋収容部１４０の蓋収容空間１４９に収容されている蓋部２３を蓋収容部１４０から取り出せるように、プレート本体部１２１の蓋収容部１４０の上方部分、蓋収容上壁部１４６及び蓋収容底部１４１の縁部１４４を切欠いて形成されている。
【００４６】
また、蓋収容周壁部１４２のＹ方向の長さ、すなわち蓋収容部１４０の深さは、蓋部２３の板厚及び蓋部２３を固定するボルト１４の頭部の厚みを合わせた厚み以上に設定されている。すなわち、蓋収容部１４０は、蓋部２３の板厚及び蓋部２３を固定するボルト１４の頭部の厚みを合わせた厚み以上の深さを有するように、プレート本体部１２１を、建物Ｂの内壁Ｗ側に凹ませて形成されている。
【００４７】
＜作用＞
本実施形態のフェッシャープレート１１２を備えるエレベーター装置１０１のでは、上述の第１の実施形態における第１〜第４の作用を奏することができる。
【００４８】
また、プレート本体部１２１に、蓋部２３の板厚及び蓋部２３を固定するボルト１４の頭部の厚みを合わせた厚み以上の深さを有するように建物Ｂの内壁Ｗ側に凹む蓋収容部１４０を設けたので、蓋部２３及びボルト１４がかご室９やドア装置１０やエプロン９５と干渉することを防止することができる。
【００４９】
また、蓋収容部１４０の上部におけるＸ方向の略中央部に、切欠き部１５０を形成したので、メンテナンス作業の作業者が蓋収容部１４０に収容されている蓋部２３を蓋収容部１４０から容易に取り出すことができる。
＜変形例＞
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５０】
例えば、第１の実施形態及び第２の実施形態では、いわゆる機械室のあるエレベーター装置１，１０１に本発明を適用した例を説明したが、機械室のない、いわゆる機械室レスのエレベーターに本発明を適用してもよい。
【００５１】
また、第１の実施形態及び第２の実施形態では、フェッシャープレート１２，１１２を上プレート部２０，１２０と下プレート部３０，１３０の２つのプレートで構成したが、フェッシャープレートを構成するプレートの数は建屋Ｂの構造などに応じて適宜変更可能である。
【符号の説明】
【００５２】
１…エレベーター装置、  ３…昇降路、  ４…乗りかご、    ９…かご室、  １１…乗り場ドア、  １２…フェッシャープレート、  １３…制御装置、  １５…配線、  １７…トーガード、  １８…第１補強部材、  １９…第２補強部材、  ２０…上プレート部、  ２１…プレート本体部、  ２２…制御装置収容部、  ２３…蓋部、  ２４…開口、  ２５…収容空間、  ２６…周壁部、  ２６ａ…側壁部、  ２６ｂ…上壁部、  ２６ｃ…下壁部、  ２７…底部、  ２８…配線収容部、  ３０…下プレート部、  ９１…床部、  ９２…天井部、  ９４…敷居、  ９５…エプロン
【図１】
2016034871.tif 000003
【図２】
2016034871.tif 000004
【図３】
2016034871.tif 000005
【図４】
2016034871.tif 000006
【図５】
2016034871.tif 000007